(57)【特許請求の範囲】
【請求項１】
洗面台の後端部に立上り壁を立設し、ミラーキャビネットの下面を構成する下面片の後端部に立上り壁載設面を設けると共に、この立上り壁載設面を立上り壁の上端面に載置して成る洗面化粧台において、ミラーキャビネットの下面片の上方に後方へ開口する空所を設けると共に、下面片の一部に下方から上記空所に貫通して且つ後方に開口せる切欠を形成し、前面操作部を有した電器ユニットに上方且つ後方に開口せる函状の外殻ハウジングを備え、この外殻ハウジングの上部に設けた取付部を切欠を通して空所に挿入して空所内に取り付けることで、立上り壁載設面よりも前方に位置する切欠の部位である切欠前方域を覆うように電器ユニットを配設し、電器ユニットの外殻ハウジングの後方開口を蓋部材の縦片部で塞ぐと共に、この縦片部の後面を立上り壁の前面に沿わせて配置し、蓋部材の縦片部から後方へ突設した横片部にて切欠前方域よりも後方の切欠の部位である切欠後方域を塞ぐと共に、この横片部の下面を立上り壁の上端面に沿わせて配置したことを特徴とする洗面化粧台。
【発明の詳細な説明】
【技術分野】
【０００１】
本発明は洗面化粧台に関し、詳しくは電器ユニットの配設構造に関するものである。
【背景技術】
【０００２】
従来から、洗面化粧台にコンセントやスイッチなどの電器ユニットを配備するには、たとえばミラーキャビネットの下面に別体の電器ユニットを取り付けたりして行われている（たとえば特許文献１参照）。
【０００３】
ここで、ミラーキャビネットの下方空間は洗面化粧台の洗面作業空間になることから、ミラーキャビネットの下面部に取り付ける電器ユニットはできるだけ薄型のものが求められる。そして、薄型の電器ユニットをミラーキャビネットの下面に沿わせて取り付けるには、上記特許文献１にもあるように下方から取付ビスを打入して行う方法が挙げられるが、取付ビスが下方に露出して外観が悪くなる。たとえ取付ビスを別個隠匿カバーで隠匿させても、電器ユニットと別個の隠匿カバーによって煩雑な外観となり、すっきりとした良好な外観を現出することはできない。
【０００４】
また、電器ユニットのミラーキャビネットへの配設作業には、ミラーキャビネット内に配線した配電線との接続作業も伴う。この作業性向上のため電器ユニットは上方且つ後方に開口せる外殻ハウジングを有することとなるが、この場合、配設後の電器ユニットでは外殻ハウジングの後方開口から内部に水が浸入して漏電等の不具合が発生する恐れが生じることとなる。たとえ外殻ハウジングの後方開口を上記特許文献１にもあるように洗面台の後端部から立設した立上り壁にて塞ぐようにしても、取付誤差などにより水浸入の恐れを無くすことは困難である。
【特許文献１】特開平８−１３１３５３号公報
【発明の開示】
【発明が解決しようとする課題】
【０００５】
本発明は上記の点に鑑みてなされたものであり、その目的とするところは、ミラーキャビネットの下面に電器ユニットを配設するにあたり、配設後の外観にすっきりとした良好な外観を確保しつつ、電器ユニットの内部への水の浸入も防止できる洗面化粧台を提供することを課題とするものである。
【課題を解決するための手段】
【０００６】
上記課題を解決するために本発明の洗面化粧台にあっては、洗面台３の後端部に立上り壁７を立設し、ミラーキャビネット２の下面２ａを構成する下面片８ａの後端部に立上り壁載設面１７を設けると共に、この立上り壁載設面１７を立上り壁７の上端面７ａに載置して成る洗面化粧台１において、ミラーキャビネット２の下面片８ａの上方に後方へ開口する空所１５を設けると共に、下面片８ａの一部に下方から上記空所１５に貫通して且つ後方に開口せる切欠１６を形成し、前面操作部４ａを有した電器ユニット４に上方且つ後方に開口せる函状の外殻ハウジング１８を備え、この外殻ハウジング１８の上部に設けた取付部１９を切欠１６を通して空所１５に挿入して空所１５内に取り付けることで、立上り壁載設面１７よりも前方に位置する切欠１６の部位である切欠前方域１６ａを覆うように電器ユニット４を配設し、電器ユニット４の外殻ハウジング１８の後方開口４ｂを蓋部材２０の縦片部２１で塞ぐと共に、この縦片部２１の後面２１ａを立上り壁７の前面７ｂに沿わせて配置し、蓋部材２０の縦片部２１から後方へ突設した横片部２２にて切欠前方域１６ａよりも後方の切欠１６の部位である切欠後方域１６ｂを塞ぐと共に、この横片部２２の下面２２ａを立上り壁７の上端面７ａに沿わせて配置したことを特徴とする。
【０００７】
これによると、ミラーキャビネット２の下面２ａに電器ユニット４を配設するにあたり、ミラーキャビネット２の下面片８ａの上方に後方へ開口する空所１５を設けると共に、下面片８ａの一部に下方から上記空所１５に貫通して且つ後方に開口せる切欠１６を形成し、前面操作部４ａを有した電器ユニット４に上方且つ後方に開口せる函状の外殻ハウジング１８を備え、この外殻ハウジング１８の上部に設けた取付部１９を切欠１６を通して空所１５に挿入して空所１５内に取り付けることで、立上り壁載設面１７よりも前方に位置する切欠１６の部位である切欠前方域１６ａを覆うように電器ユニット４を配設したので、後方に開口せる切欠１６や空所１５を作業スペースとして利用して、ミラーキャビネット２や電器ユニット４の後方から配線作業や取付作業を容易に行うことができ、且つ、両者の取付部位を外観に露出させないようにできるのであり、そして、電器ユニット４の外殻ハウジング１８の後方開口４ｂを蓋部材２０の縦片部２１で塞ぐと共に、蓋部材２０の縦片部２１から後方へ突設した横片部２２にて切欠前方域１６ａよりも後方の切欠１６の部位である切欠後方域１６ｂを塞いだので、ミラーキャビネット２への電器ユニット４の取付誤差に関係なく、電器ユニット４の後方開口４ｂやミラーキャビネット２の切欠１６（切欠後方域１６ｂ）を蓋部材２０で確実に塞いで水の浸入を防止できるのであり、そして、蓋部材２０の縦片部２１の後面２１ａを立上り壁７の前面７ｂに沿わせて配置すると共に、蓋部材２０の横片部２２の下面２２ａを立上り壁７の上端面７ａに沿わせて配置したので、電器ユニット４は、上記ミラーキャビネット２への取付部位が外観に露出しないことも相俟って、ミラーキャビネット２の下面２ａと立上り壁７の前面７ｂとのコーナー部に位置する収まりの良い一体的な外観を現出できて、すっきりとした良好な外観を確保できるのである。
【発明の効果】
【０００８】
本発明にあっては、ミラーキャビネットの下面に電器ユニットを配設するにあたり、配設後の外観にすっきりとした良好な外観を確保しつつ、電器ユニットの内部への水の浸入も防止できる、という利点を有する。
【発明を実施するための最良の形態】
【０００９】
以下、本発明を添付図面に示す実施形態に基いて説明する。
【００１０】
本例の洗面化粧台１は、図１（ａ）や図４のように、洗面台３の後端部に左右に亙って立上り壁７を立設し、ミラーキャビネット２の下面２ａを構成する下面片８ａの後端部に立上り壁載設面１７を設けると共に、この立上り壁載設面１７を立上り壁７の上端面７ａに載置して構成されている。
【００１１】
洗面台３は、上方が開口せる下部キャビネット５の上部に洗面ボウル６を載設して形成される。洗面ボウル６は樹脂製であり、ボウル部６ａの後部から鉛直板状の立上り壁７を一体に上方に延出してある。この立上り壁７は洗面ボウル６での水跳ねを受けるための部位であり、本例ではボウル部６ａの後面壁６ａ１がそのまま上方に連続するように形成されている。
【００１２】
ミラーキャビネット２は、前方に開口する収納空間９を内部に有した函状のキャビネット本体８を有している。キャビネット本体８にはその前方開口を開閉自在にする扉１０が設けられている。扉１０の前面にはミラー１１が設けられている。また、キャビネット本体８の上部には照明装置１２が取り付けられている。照明装置１２の前面はミラーキャビネット２の前面と段差の少ない略面一状にされている。
【００１３】
なお、本例のキャビネット本体８は、その前後から成形型を合わせることで成形されるような樹脂成形品であり、良好な防水性を備えている。詳しくは、本例のキャビネット本体８は、成形型の複雑化の回避及び良好な型抜き性を備えるために、図１（ｂ）や図４のように、ほぼ前後に開放する形状とされている。
【００１４】
ミラーキャビネット２の下面２ａを構成する下面片８ａは、図１（ｂ）や図４のように、キャビネット本体８の前方に臨む鉛直壁状の前面片８ｂの下端から略水平且つ後方へ突設されており、その左右端はキャビネット本体８の左右端で側方に臨む鉛直壁状の両側面片８ｃの下端に連結されている。ここで、この下面片８ａの上方には後方に開口せる空所１５が形成されている。また、下面片８ａの一部には下方から上記空所１５に貫通して且つ後方に開口せる切欠１６が形成されている。切欠１６は、下面片８ａにおける左右方向のやや偏った位置（本例では正面から見て左端部）に形成されている。また、この切欠１６は、ミラーキャビネット２を洗面台３に配設して洗面化粧台１を形成した際に、洗面台３の立上り壁７に載置される下面片８ａの後部域（つまり立上り壁載設面１７）よりも前方位置にまで、下面片８ａの後端から切り込むように形成されている。本例の切欠１６は下面片８ａにおける前面片８ｂへの連結部位にまで切り込むように形成されている。なお、切欠１６において、下面片８ａの立上り壁載設面１７の位置よりも前方域の部位を切欠前方域１６ａと称し、切欠前方域１６ａよりも後方域の部位（すなわち下面片８ａの立上り壁載設面１７と同じ前後位置にある部位）を切欠後方域１６ｂと称する。上記空所１５や切欠１６は、後述の電器ユニット４の配設に使用されるが、いずれも後方へ開口した形状を有するから前後から成形型を合わせることで形成可能であり、キャビネット本体８の良好な製造性を確保している。
【００１５】
電器ユニット４は、図６のように照明装置１２のスイッチやコンセントなどの電気部品２８を外殻ハウジング１８内に収めて成る電器機器であり、本例の外殻ハウジング１８は、前面壁１８ａ、下面壁１８ｂ及び一対の側面壁１８ｃを囲繞させて成る、前方且つ後方に開口せる函状に形成されている。前面壁１８ａは側面壁１８ｃよりも上方へ突出していて取付部１９を構成する。そして、コンセント差込操作やスイッチ操作を行う前面操作部４ａが、外殻ハウジング１８の前面壁１８ａから前方に臨むように設けられている。
【００１６】
この電器ユニット４は、図１（ｂ）のように、外殻ハウジング１８の取付部１９をキャビネット本体８の切欠１６を通して空所１５に挿入して空所１５内に取り付けることで、切欠前方域１６ａを覆うようにしてミラーキャビネット２の下面２ａに沿わせて配設される。本例では取付部１９は空所１５の前面（前面片８ｂの後面）に沿わせて取付けされている。なお、取付け方法としては、取付ビスで取付部１９を空所１５に螺着したり、空所１５内に予め設置した引掛具に取付部１９を引っ掛けたり、接着剤で取付部１９を空所１５に接着させたりする方法を適用できるが、いずれの方法も後方に開口せる切欠１６や空所１５を作業スペースとして利用して、ミラーキャビネット２や電器ユニット４の後方から取付作業を容易に行うことができる。無論、この電器ユニット４の配設作業時には、図６のようにミラーキャビネット２内に配線した配電線２９と電気機器２８との電気的な接続作業も同時に行われるが、この接続作業も後方に開口せる切欠１６や空所１５を作業スペースとして利用して、ミラーキャビネット２や電器ユニット４の後方から容易に行うことができる。
【００１７】
このとき、外殻ハウジング１８の側面壁１８ｃは、その上端面をキャビネット本体８の下面片８ａの下面に当接させても、その上端部と切欠１６の左右の縁部とに係止手段を備えて両者を係止させてもよい。いずれにせよ切欠前方域１６ａが電器ユニット４で覆われて水の浸入防止が確保できればよい。なお、上記係止手段を用いれば、より強固に電器ユニット４をミラーキャビネット２に固定できて好ましい。
【００１８】
上記の状態では切欠後方域１６ｂや電器ユニット４の後方開口４ｂは依然として開放状態であるが、この切欠後方域１６ｂや電器ユニット４の後方開口４ｂは、図４のように、電器ユニット４に蓋部材２０を取り付けることで、閉塞される。蓋部材２０は、図５のように、縦片部２１の上端から後方に横片部２２を突設して成る断面Ｌ字状の部材である。そして、この蓋部材２０は、図３のように、その縦片部２１を電器ユニット４の外殻ハウジング１８の後方開口４ｂの内縁に嵌め込むことでこの後方開口４ｂを塞ぐのであり、また、横片部２２を切欠後方域１６ｂの内縁に嵌め込むことで切欠後方域１６ｂを塞ぐのである。
【００１９】
このように電器ユニット４の外殻ハウジング１８の後方開口４ｂを蓋部材２０の縦片部２１で塞ぐと共に、蓋部材２０の縦片部２１から後方へ突設した横片部２２にて切欠前方域１６ａよりも後方の切欠１６の部位である切欠後方域１６ｂを塞いだので、ミラーキャビネット２への電器ユニット４の取付誤差に関係なく、電器ユニット４の後方開口４ｂやミラーキャビネット２の切欠１６（切欠後方域１６ｂ）を蓋部材２０で確実に塞いで電器ユニット４内への水の浸入を防止でき、電器ユニット４での漏電等の不具合の発生を防止できたのである。
【００２０】
なお、本例では蓋部材２０の電器ユニット４への取り付けは、図４のように、電器ユニット４の前面壁１８ａの左右端部から後方に突設した一対の電器側ボス１８ｄに、蓋部材２０の縦片部２１の左右端部から前方に突設した一対の蓋側ボス２３を連結させることで、行われる。詳しくは、図５のように、左右の一方側のボス同士１８ｄ，２３はスプライン２３ａを用いた嵌合構造で連結され、他方側のボス同士１８ｄ，２３は後側からの取付ネジ２４の螺着構造で連結されている。また、横片部２２の左右端は切欠後方域１６ｂの縁部に上側から引っ掛け係止させる係止縁２２ｂが形成されており（更に本例では係止縁２２ｂの後端で切欠後方域１６ｂの縁部を把持するような爪縁２２ｃが形成されている）、切欠後方域１６ｂに位置する横片部２２の下面２２ａが下面片８ａの立上り壁載設面１７と略同一の高さ位置に位置されている。
【００２１】
このように下面に電器ユニット４を配設した上でミラーキャビネット２はその立上り壁載設面１７を洗面台３の立上り壁７の上端面７ａに載置させるのであるが、このとき電器ユニット４を配設部分では、図１（ｂ）のように、蓋部材２０の縦片部２１の後面２１ａが立上り壁７の前面７ｂに沿わせて配置され、蓋部材２０の横片部２２の下面２２ａが立上り壁７の上端面７ａに沿わせて配置される。このとき蓋部材２０の縦片部２１の下端部と立上り壁７の前面７ｂとの間、また蓋部材２０の横片部２２の前寄り部位と立上り壁７の上端面７ａとの間に、それぞれ止水パッキン２５が介在され、蓋部材２０と立上り壁７との間に浸入する水の止水を行っており、電器ユニット４内への水の浸入の防止効果を高めている。更に言うと、蓋部材２０の縦片部２１と横片部２２との為す角度（内隅角度）を立上り壁７の前面７ｂと上端面との為す角度（外隅角度）よりも小さく形成してあり、蓋部材２０を立上り壁７に多少のテンションをかけて沿設可能にしてあり、上記止水パッキン２５の押圧効果の向上も図られている。
【００２２】
上記のように電器ユニット４を配備した洗面化粧台１では、電器ユニット４はミラーキャビネット２の下面２ａと立上り壁７の前面７ｂとのコーナー部に収まりの良く位置するものであり、図１（ａ）や図２のように、収まりの良いすっきりした一体的な外観を洗面化粧台１に現出できたものである。ここで、この電器ユニット４における上記ミラーキャビネット２への取付部位（取付部１９）は下面片８ａ上の空所１５内にあり、この部位は外観に露出しないのであるから、上記電器ユニット４の配設外観の向上に寄与している。
【００２３】
なお、本例の洗面化粧台１においては、洗面台３の立上り壁７の上端部から吐水カラン１３やその操作レバー１４が前方に突設されており、立上り壁７の上に載るミラーキャビネット２との位置関係で、図１（ａ）や図２のように、あたかもミラーキャビネット２の下面２ａに吐水カラン１３や操作レバー１４が配設されたような外観を現出させている。この外観は、ミラーキャビネット２の下面２ａに配設した電器ユニット４の外観とイメージを同一にするものであり、つまり電器ユニット４、吐水カラン１３及び操作レバー１４の外観イメージに統一感を持たせ、洗面化粧台１の外観のすっきり感を向上させている。更に言うと、実質的に電器ユニット４、吐水カラン１３及び操作レバー１４はミラーキャビネット２の下面２ａに沿うように配置されているので、洗面ボウル６上の洗面作業スペースを広く採ることができ、したがって洗面化粧台１には良好な利便性も確保されているのである。
【図面の簡単な説明】
【００２４】
【図１】本発明の実施の形態の例の洗面化粧台であり、（ａ）は全体の斜視図であり、（ｂ）は図１（ａ）のＡ部分の側断面図である。
【図２】同上の洗面化粧台であって、（ａ）は正面図であり、（ｂ）は一部切欠側面図である
【図３】図１（ｂ）のＢ部分の拡大図である。
【図４】同上の電器ユニットのミラーキャビネットへの取り付けを説明する下方から見た斜視図である。
【図５】同上の蓋部材であり、（ａ）は平面図であり、（ｂ）は前面図（図５（ａ）の左側面図）であり、（ｃ）は図５（ａ）のＣ−Ｃ線断面図である。
【図６】同上のミラーキャビネットに取り付けた電器ユニットの側断面図である。
【符号の説明】
【００２５】
１  洗面化粧台
２  ミラーキャビネット
２ａ  下面
３  洗面台
４  電器ユニット
４ａ  前面操作部
４ｂ  後方開口
７  立上り壁
７ａ  上端面
８ａ  下面片
１５  空所
１６  切欠
１６ａ  切欠前方域
１６ｂ  切欠後方域
１７  立上り壁載設面
１８  外殻ハウジング
１９  取付部
２０  蓋部材
２１  縦片部
２１ａ  後面
２２  横片部
２２ａ  下面
【図１】
0004835561.tif 000002
【図２】
0004835561.tif 000003
【図３】
0004835561.tif 000004
【図４】
0004835561.tif 000005
【図５】
0004835561.tif 000006
【図６】
0004835561.tif 000007